(57)【特許請求の範囲】
【請求項１】
天井に形成された開口部を開閉する蓋と、
折り畳まれて天井裏に収納され、伸展されて天井の開口部と床との間に掛け渡される梯子とを有する天井収納用梯子装置であって、
梯子の上端部が、第１取付部材を介して、天井側に上下回動自在に取り付けられ、
蓋が、第２取付部材を介して、天井側に上下回動自在に取り付けられ、
蓋に、梯子を下方から支持する支持部が設けられ、
支持部と梯子とは分離されており、
天井と蓋との間に、屈曲自在なリンクと、蓋を閉方向へ付勢する付勢部材とが設けられ、
リンクは、一端部が天井側に回動自在に連結された第１リンク部材と、一端部が蓋に回動自在に連結された第２リンク部材とを有し、
第１リンク部材の他端部と第２リンク部材の他端部とが相対回動自在に連結され、
付勢部材の一端部が天井側に設けられ、
付勢部材の他端部が第２リンク部材の一端部に連結され、
蓋を閉方向へ付勢する補助付勢部材が第１リンク部材と付勢部材との間に設けられていることを特徴とする天井収納用梯子装置。
【請求項２】
第１リンク部材は第２リンク部材よりも短く、
付勢部材は引張りばねを有し、
補助付勢部材は補助引張りばねを有し、
補助引張りばねの引張力が引張りばねの引張力よりも小さく、
引張りばねの伸縮方向と補助引張りばねの伸縮方向とが交差しており、
補助引張りばねは蓋の閉位置と最も開いた開位置との間の所定位置において最も伸長し、
蓋が閉位置から下向きに回動して開位置まで開く際、引張りばねが次第に伸長するとともに、補助引張りばねが、閉位置から所定位置までの第１の範囲において次第に伸長し、所定位置から開位置までの第２の範囲において次第に短縮することを特徴とする請求項１記載の天井収納用梯子装置。
【請求項３】
付勢部材は引張りばねのばね力を調節する調節部材を有することを特徴とする請求項２記載の天井収納用梯子装置。
【発明の詳細な説明】
【技術分野】
【０００１】
本発明は、折り畳まれて天井裏に収納され、伸展されて天井の開口部と床との間に掛け渡される梯子とを有する天井収納用梯子装置に関する。
【背景技術】
【０００２】
従来、この種の天井収納用梯子装置としては、例えば図１１に示すように、天井１０１の開口部１０２に開口枠１０３が設けられ、開口枠１０３には、開口部１０２を開閉する蓋１０４がヒンジ１０５を介して回動自在に取り付けられている。蓋１０４には、折畳自在な梯子１０６が取付金具１０７を介して一体的に取り付けられている。また、天井１０１と蓋１０４との間に、屈曲自在なリンク１０８と、蓋１０４を閉方向Ｓへ付勢する引張りばね１０９とが設けられている。
【０００３】
これによると、蓋１０４を閉位置ＰＳから下向きに回動して開位置まで開き、梯子１０６を折畳状態から伸展することにより、梯子１０６が天井１０１の開口部１０２と床との間に掛け渡される。上記のように蓋１０４を閉位置ＰＳから開位置まで開く際、引張りばね１０９が次第に伸長する。
【０００４】
梯子１０６を使用した後、梯子１０６を伸展状態から折り畳み、蓋１０４を開位置から閉位置ＰＳまで上向きに回動することにより、開口部１０２が蓋１０４で閉じられ、梯子１０６が折畳状態で天井裏に収納される。上記のように蓋１０４を開位置から閉位置ＰＳまで回動する際、引張りばね１０９が伸長状態から次第に短縮するため、引張りばね１０９のばね力によって蓋１０４が閉方向Ｓへ付勢され、これにより、使用者が蓋１０４を閉じるのに要する力を軽減することができる。
【０００５】
尚、上記のような天井収納用梯子装置１１０は例えば下記特許文献１に記載されている。
【先行技術文献】
【特許文献】
【０００６】
【特許文献１】特開２０００−４５６６８
【発明の概要】
【発明が解決しようとする課題】
【０００７】
しかしながら上記の従来形式では、天井収納用梯子装置１１０を天井１０１に取り付ける際、蓋１０４に梯子１０６を装着した状態で、蓋１０４を天井１０１に取り付けているため、梯子１０６を備えた蓋１０４の総重量が重くなり、天井１０１へ取り付ける際の施工性が悪いといった問題がある。
【０００８】
本発明は、天井へ取り付ける際の施工性を向上させることができる天井収納用梯子装置を提供することを目的とする。
【課題を解決するための手段】
【０００９】
上記目的を達成するために、本第１発明は、天井に形成された開口部を開閉する蓋と、
折り畳まれて天井裏に収納され、伸展されて天井の開口部と床との間に掛け渡される梯子とを有する天井収納用梯子装置であって、
梯子の上端部が、第１取付部材を介して、天井側に上下回動自在に取り付けられ、
蓋が、第２取付部材を介して、天井側に上下回動自在に取り付けられ、
蓋に、梯子を下方から支持する支持部が設けられ、
支持部と梯子とは分離されており、
天井と蓋との間に、屈曲自在なリンクと、蓋を閉方向へ付勢する付勢部材とが設けられ、
リンクは、一端部が天井側に回動自在に連結された第１リンク部材と、一端部が蓋に回動自在に連結された第２リンク部材とを有し、
第１リンク部材の他端部と第２リンク部材の他端部とが相対回動自在に連結され、
付勢部材の一端部が天井側に設けられ、
付勢部材の他端部が第２リンク部材の一端部に連結され、
蓋を閉方向へ付勢する補助付勢部材が第１リンク部材と付勢部材との間に設けられているものである。
【００１０】
これによると、梯子は、蓋に装着されておらず、蓋と分離されているため、梯子と蓋を個別に天井に取り付けることができる。これにより、蓋を取り付ける際、梯子の全重量が蓋にかかることはなく、蓋を容易に天井に取り付けることができるため、天井へ取り付ける際の施工性が向上する。
【００１１】
また、梯子は第１取付部材を介して天井側に取り付けられ、蓋は第２取付部材を介して天井側に取り付けられているため、梯子の重量の一部は第１取付部材で受けられ、その分、第２取付部材にかかる重量が軽減されるので、第２取付部材を小型化することができる。
【００１２】
また、蓋を閉位置から開く際、付勢部材と補助付勢部材とが蓋を閉方向へ付勢しているため、蓋にかかる梯子の重量によって蓋が急激に開いてしまうのを防止することができる。
【００１３】
蓋を閉位置から下向きに回動して開位置まで開き、梯子を折畳状態から伸展することにより、梯子が天井の開口部と床との間に掛け渡される。
本第２発明における天井収納用梯子装置は、第１リンク部材は第２リンク部材よりも短く、
付勢部材は引張りばねを有し、
補助付勢部材は補助引張りばねを有し、
補助引張りばねの引張力が引張りばねの引張力よりも小さく、
引張りばねの伸縮方向と補助引張りばねの伸縮方向とが交差しており、
補助引張りばねは蓋の閉位置と最も開いた開位置との間の所定位置において最も伸長し、
蓋が閉位置から下向きに回動して開位置まで開く際、引張りばねが次第に伸長するとともに、補助引張りばねが、閉位置から所定位置までの第１の範囲において次第に伸長し、所定位置から開位置までの第２の範囲において次第に短縮するものである。
【００１４】
これによると、使用者が蓋を閉位置から下向きに回動させて開位置まで開く際、引張りばねが次第に伸長するとともに、補助引張りばねが、第１の範囲において次第に伸長し、所定位置において最も伸長した後、第２の範囲において次第に短縮する。ここで、第２の範囲においては、引張りばねが最も伸長した状態にまで引き伸ばされるが、その反面、補助引張りばねが次第に短縮するため、使用者が蓋を開位置まで開くのに要する力の増大を、抑制することができる。
【００１５】
その後、使用者が蓋を開位置から閉位置まで上向きに回動させて開口部を閉じる際、伸長した引張りばねが次第に短縮するとともに、補助引張りばねが、第２の範囲において次第に伸長し、所定位置において最も伸長した後、第１の範囲において次第に短縮する。ここで、第２の範囲においては、引張りばねが最も伸長した状態から次第に短縮するため、引張りばねのみで蓋を閉方向へ付勢するための十分な付勢力が得られる。
【００１６】
しかしながら、その後の第１の範囲においては、引張りばねがさらに短縮するため、引張りばねのみでは、蓋を閉方向へ付勢するための付勢力が不足する虞があるが、その反面、補助引張りばねが伸長した状態から次第に短縮することによって、蓋を閉方向へ付勢するための付勢力が補われる。これにより、蓋を開位置から閉位置まで上向きに回動させて開口部を閉じる際に要する使用者の持上力が軽減される。
【００１７】
また、引張りばねと補助引張りばねとを用いて蓋を閉方向へ付勢しているため、引張りばねのばね力を低減して引張りばねを小型軽量化することができる。
本第３発明における天井収納用梯子装置は、付勢部材は引張りばねのばね力を調節する調節部材を有するものである。
【００１８】
これによると、調節部材で引張りばねのばね力を調節することにより、使用者が蓋を開閉するのに要する力を調節することができる。
【発明の効果】
【００１９】
以上のように本発明によると、梯子は、蓋に装着されておらず、蓋と分離されているため、梯子と蓋を個別に天井に取り付けることができる。これにより、蓋を取り付ける際、梯子の全重量が蓋にかかることはなく、蓋を容易に天井に取り付けることができるため、天井へ取り付ける際の施工性が向上する。また、梯子は第１取付部材を介して天井側に取り付けられ、蓋は第２取付部材を介して天井側に取り付けられているため、梯子の重量の一部は第１取付部材で受けられ、その分、第２取付部材にかかる重量が軽減されるので、第２取付部材を小型化することができる。また、蓋を閉位置から開く際、付勢部材と補助付勢部材とが蓋を閉方向へ付勢しているため、蓋にかかる梯子の重量によって蓋が急激に開いてしまうのを防止することができる。
【００２０】
さらに、使用者が蓋を開位置から閉位置まで上向きに回動させて開口部を閉じる際、第１の範囲においては、引張りばねのみでは、蓋を閉方向へ付勢するための付勢力が不足する虞があるが、補助引張りばねが最も伸長した状態から次第に短縮することによって、蓋を閉方向へ付勢するための付勢力が補われる。これにより、蓋を開位置から閉位置まで上向きに回動させて開口部を閉じる際に要する使用者の力が軽減される。
【００２１】
また、調節部材で引張りばねのばね力を調節することにより、使用者が蓋を開閉するのに要する力を調節することができる。
【図面の簡単な説明】
【００２２】
【図１】本発明の実施の形態における天井収納用梯子装置の一部切欠き側面図であり、蓋を開位置まで開いて梯子を伸展した状態を示す。
【図２】図１におけるＸ−Ｘ矢視図である。
【図３】同、天井収納用梯子装置の梯子と天井の固定枠との取付部分の拡大側面図である。
【図４】図３におけるＸ−Ｘ矢視図である。
【図５】同、天井収納用梯子装置の蓋と天井の固定枠との取付部分の拡大側面図であり、蓋を開位置まで開いたときの状態を示す。
【図６】同、天井収納用梯子装置の一部切欠き側面図であり、梯子を折り畳んで蓋を閉位置まで閉じた状態を示す。
【図７】同、天井収納用梯子装置の蓋と天井の固定枠との取付部分の拡大側面図であり、蓋を閉位置まで閉じたときの状態を示す。
【図８】同、天井収納用梯子装置の一部切欠き側面図であり、梯子を折り畳んだままで蓋を所定位置まで開いた状態を示す。
【図９】同、天井収納用梯子装置の蓋と天井の固定枠との取付部分の拡大側面図であり、蓋を所定位置まで開いた状態を示す。
【図１０】同、天井収納用梯子装置の一部切欠き側面図であり、梯子を折り畳んだままで、蓋を開位置まで開いた状態を示す。
【図１１】従来の天井収納用梯子装置の側面図である。
【発明を実施するための形態】
【００２３】
以下、本発明における実施の形態を、図面を参照して説明する。
（第１の実施の形態）
図１，図２に示すように、１は天井２に設けられた天井収納用梯子装置である。以下、天井収納用梯子装置１について説明する。
【００２４】
天井２には四角形の開口部３が形成され、天井収納用梯子装置１は、開口部３を開閉する蓋５と、図６に示すように折り畳まれて天井裏６に収納され、図１に示すように伸展されて天井２の開口部３と床７との間に掛け渡される梯子９とを有している。
【００２５】
図１，図２に示すように、天井２の裏側には、開口部３の周縁を取り囲むように、四角枠状の取付用野縁１１（固定部材の一例）が設けられている。
梯子９は、左右一対の側桁１３と、両側桁１３間に設けられた複数の踏み板１４と、手摺１５とを有し、長さ方向において梯子部材１６ａ，１６ｂ，１６ｃに分割されており、これら梯子部材１６ａ，１６ｂ，１６ｃは屈伸自在に連結されている。図１〜図４に示すように、梯子９の上部の梯子部材１６ａの上端部は、左右一対の第１ヒンジ部材１７（第１取付部材の一例）を介して、取付用野縁１１（天井側の一例）に上下回動自在に取り付けられている。
【００２６】
第１ヒンジ部材１７は、上部の梯子部材１６ａの側桁１３の上端部に設けられた梯子側ブラケット１８と、取付用野縁１１に設けられた固定側ブラケット１９と、これら梯子側ブラケット１８と固定側ブラケット１９とを連結する左右方向のヒンジピン２０とを有している。梯子側ブラケット１８は、固定側ブラケット１９に対して、ヒンジピン２０を中心に回動自在である。
【００２７】
図３〜図５に示すように、蓋５は、四角形状の内枠２１と、内枠２１内に設けられた四角板状の蓋部材２２とを有している。また、図５に示すように、取付用野縁１１は天井側の一例として四角形状の外枠５５を内周部に備えており、取付用野縁１１と外枠５５とは天井側に固定された固定部材である。蓋５は、第２ヒンジ部材２３（第２取付部材の一例）を介して、外枠５５に上下回動自在に取り付けられている。第２ヒンジ部材２３は、蓋５の一端部に設けられた蓋側ヒンジ４８と、外枠５５に設けられた固定側ヒンジ４９とを有している。
【００２８】
蓋側ヒンジ４８は、蓋５の内枠２１の一辺から相手方の固定側ヒンジ４９に向って突出している突起部５２および半円弧状の周胴部５３と、これら突起部５２と周胴部５３とで囲まれた内部空間５４とを有している。尚、内枠２１と蓋側ヒンジ４８とは例えばアルミ等の金属からなる一体成型品である。
【００２９】
また、固定側ヒンジ４９は、外枠５５の一辺下部から内部空間５４内に突入する突入部５６と、周胴部５３を外周側から受ける円弧状の受け部５７とを有している。尚、突入部５６は上方に窪んだ段付部５９を有し、突起部５２の先端が下方から段付部５９に受け止められる。
【００３０】
尚、周胴部５３は後述する引張りコイルばね３８のばね力（引張り力）によって受け部５７に押し当てられ、これにより、蓋側ヒンジ４８が固定側ヒンジ４９から外れてしまうのを防止することができる。また、固定側ヒンジ４９と外枠５５とは例えばアルミ等の金属からなる一体成型品である。
【００３１】
図１，図２に示すように、蓋５は、裏側に、蓋５の幅方向（左右方向）に長い補強部材２５を有している。補強部材２５には、梯子９の両側桁１３を下方から支持する左右一対の支持部２６が設けられている。
【００３２】
天井２と蓋５との間には、屈曲自在な左右一対のリンク２９と、蓋５を閉方向Ｓへ付勢する左右一対の付勢部材３０とが設けられている。また、リンク２９と付勢部材３０との間には、蓋５を閉方向Ｓへ付勢する左右一対の補助付勢部材３１が設けられている。
【００３３】
リンク２９は、一端部が天井２の取付用野縁１１（天井側の一例）に回動自在に連結された第１リンク部材３４と、一端部が蓋５の補強部材２５に回動自在に連結された第２リンク部材３５とを有している。これら第１リンク部材３４の他端部と第２リンク部材３５の他端部とが相対回動自在に連結されている。尚、第１リンク部材３４の長さは第２リンク部材３５の長さよりも短い。
【００３４】
付勢部材３０は、引張りコイルばね３８と、引張りコイルばね３８のばね力（引張り力）を調節するターンバックル３９（調節部材の一例）とを有している。天井２の取付用野縁１１には左右一対の係止部材４２（フック）が備えられ、引張りコイルばね３８の一端部が係止部材４２に係止されて（引っ掛けられて）いる。また、引張りコイルばね３８の他端部はターンバックル３９の一端部に係合し、ターンバックル３９の他端部が第２リンク部材３５の一端部に連結されている。
【００３５】
補助付勢部材３１は、補助引張りコイルばね４４と、接続金具４５とを有している。補助引張りコイルばね４４は第１リンク部材３４と付勢部材３０との間に設けられている。すなわち、補助引張りコイルばね４４の一端部が接続金具４５を介して第１リンク部材３４に接続され、補助引張りコイルばね４４の他端部がターンバックル３９の一端部に係合している。
【００３６】
補助引張りコイルばね４４のコイル中心径は引張りコイルばね３８のコイル中心径よりも小さく、補助引張りコイルばね４４の線径は引張りコイルばね３８の線径よりも細く、補助引張りコイルばね４４の有効巻数は引張りコイルばね３８の有効巻数よりも多く、補助引張りコイルばね４４のばね定数は引張りコイルばね３８のばね定数よりも小さい。
【００３７】
尚、補助引張りコイルばね４４は引張力が引張りコイルばね３８よりも小さく、このような引張力の大小関係が保たれるのであれば、上記の両コイルばね３８，４４についてのコイル中心径の大小関係、線径の太細関係、有効巻数の多少関係、ばね定数の大小関係は、上記に限定されるものではなく、逆の関係であってもよい。
【００３８】
図６に示すように蓋５が天井２の開口部３を閉じる位置を閉位置ＰＳとし、図１，図１０に示すように蓋５が最も開いた位置を開位置ＰＯとすると、補助引張りコイルばね４４は閉位置ＰＳと開位置ＰＯとの間に設定された所定位置Ａ（図８参照）において最も伸長するように構成されている。
【００３９】
尚、例えば、図６に示す閉位置ＰＳにおける引張りコイルばね３８の長さおよび補助引張りコイルばね４４の長さをそれぞれ１とすると、図８に示す所定位置Ａにおける引張りコイルばね３８の長さ（伸び率）は約１．３となり、補助引張りコイルばね４４の長さ（伸び率）は約１．７となる。また、図１，図１０に示す開位置ＰＯにおける引張りコイルばね３８の長さ（伸び率）は約１．４となり、補助引張りコイルばね４４の長さ（伸び率）は約１．４となる。
【００４０】
また、図８に示すように、閉位置ＰＳと所定位置Ａとの間を第１の範囲Ｂとし、所定位置Ａと開位置ＰＯとの間を第２の範囲Ｃとする。蓋５には、蓋５を閉位置ＰＳにロックするためのロック装置６２が設けられている。
【００４１】
以下、上記構成における作用を説明する。
梯子９は、蓋５に装着されておらず、蓋５と分離されているため、梯子９と蓋５を個別に天井２の取付用野縁１１に取り付けることができる。これにより、蓋５を取り付ける際、梯子９の全重量が蓋５にかかることはなく、蓋５を容易に取付用野縁１１に取り付けることができるため、取り付けの施工性が向上する。
【００４２】
また、図１〜図４に示すように梯子９は第１ヒンジ部材１７を介して天井２の取付用野縁１１に取り付けられ、図５に示すように蓋５は第２ヒンジ部材２３を介して天井２の取付用野縁１１に取り付けられているため、梯子９の重量の一部は第１ヒンジ部材１７で受けられ、その分、第２ヒンジ部材２３にかかる重量が軽減されるので、第２ヒンジ部材２３を小型化することができ、図５で示すように強度が低いアルミ成型品からなる第２ヒンジ部材２３を利用することができる。
【００４３】
また、ロック装置６２を解除して、蓋５を閉位置ＰＳ（図６参照）から開く際、引張りコイルばね３８と補助引張りコイルばね４４とが蓋５を閉方向Ｓへ付勢しているため、蓋５にかかる梯子９の重量によって蓋５が急激に下方へ回動して開いてしまうのを防止することができる。
【００４４】
蓋５を閉位置ＰＳ（図６参照）から下向きに回動して開位置ＰＯ（図１０参照）まで開き、図１，図２に示すように、梯子９を折畳状態から伸展することにより、梯子９が天井２の開口部３と床７との間に掛け渡される。
【００４５】
使用者が蓋５を閉位置ＰＳ（図６参照）から下向きに回動させて開位置ＰＯ（図１０参照）まで開く際、引張りコイルばね３８が次第に伸長するとともに、補助引張りコイルばね４４が、第１の範囲Ｂにおいて次第に伸長し、図８に示すように、所定位置Ａにおいて最も伸長した後、第２の範囲Ｃにおいて次第に短縮する。ここで、第２の範囲Ｃにおいては、引張りコイルばね３８が最も伸長した状態にまで引き伸ばされるが、その反面、補助引張りコイルばね４４が最も伸長した状態から次第に短縮するため、使用者が蓋５を開位置ＰＯまで開くのに要する力の増大を、抑制することができる。
【００４６】
梯子９を伸展して使用した後、使用者が、図１０に示すように梯子９を折り畳み、蓋５を開位置ＰＯから閉位置ＰＳまで上向きに回動させて開口部３を閉じる際、伸長した引張りコイルばね３８が次第に短縮するとともに、補助引張りコイルばね４４が、第２の範囲Ｃにおいて次第に伸長し、図８に示すように所定位置Ａにおいて最も伸長した後、第１の範囲Ｂにおいて次第に短縮する。ここで、第２の範囲Ｃにおいては、引張りコイルばね３８が最も伸長した状態から次第に短縮するため、引張りコイルばね３８のみで蓋５を閉方向Ｓへ付勢するための十分な付勢力が得られる。
【００４７】
しかしながら、その後の第１の範囲Ｂにおいては、引張りコイルばね３８がさらに短縮して、引張りコイルばね３８の引張力がさらに低減するため、引張りコイルばね３８のみでは、蓋５を閉方向Ｓへ付勢するための付勢力が不足する虞があるが、その反面、補助引張りコイルばね４４が最も伸長した状態から次第に短縮することによって、蓋５を閉方向Ｓへ付勢するための付勢力が補われる。これにより、蓋５を開位置ＰＯから閉位置ＰＳまで上向きに回動させて開口部３を閉じる際に要する使用者の持上力が軽減される。
【００４８】
また、引張りコイルばね３８と補助引張りコイルばね４４とを用いて蓋５を閉方向Ｓへ付勢しているため、引張りコイルばね３８のばね力（引張力）を低減して引張りコイルばね３８を小型軽量化することができる。
【００４９】
また、ターンバックル３９を操作して、引張りコイルばね３８のばね力（引張力）を調節することにより、使用者が蓋５を開閉するのに要する力を調節することができる。
また、図１０に示すように、蓋５を開位置ＰＯまで開いた際、補助引張りコイルばね４４は最も伸長した状態よりも短縮しているため、引張りコイルばね３８とターンバックル３９とに作用する補助引張りコイルばね４４の引張力は最大の引張力よりも小さく、これにより、引張りコイルばね３８とターンバックル３９とがほぼ一直線上に配置される。
【００５０】
仮に、蓋５を開位置ＰＯまで開いた際、補助引張りコイルばね４４が最も伸長した状態になると、引張りコイルばね３８とターンバックル３９とに作用する補助引張りコイルばね４４の引張力が最大になり、引張りコイルばね３８とターンバックル３９とが、一直線上ではなく、山なりに屈曲して配置されてしまう虞があり、このような山なりに屈曲した配置になった場合、引張りコイルばね３８の引張力の一部がロスしてしまう虞がある。
【符号の説明】
【００５１】
１      天井収納用梯子装置
２      天井
３      開口部
５      蓋
６      天井裏
７      床
９      梯子
１１    取付用野縁（天井側）
１７    第１ヒンジ部材（第１取付部材）
２３    第２ヒンジ部材（第２取付部材）
２６    支持部
２９    リンク
３０    付勢部材
３１    補助付勢部材
３４    第１リンク部材
３５    第２リンク部材
３８    引張りコイルばね
３９    ターンバックル（調節部材）
４４    補助引張りコイルばね
５５    外枠（天井側）
Ａ      所定位置
Ｂ      第１の範囲
Ｃ      第２の範囲
Ｓ      閉方向
ＰＳ    閉位置
ＰＯ    開位置
【図１】
0006749141.tif 000002
【図２】
0006749141.tif 000003
【図３】
0006749141.tif 000004
【図４】
0006749141.tif 000005
【図５】
0006749141.tif 000006
【図６】
0006749141.tif 000007
【図７】
0006749141.tif 000008
【図８】
0006749141.tif 000009
【図９】
0006749141.tif 000010
【図１０】
0006749141.tif 000011
【図１１】
0006749141.tif 000012